(57)【要約】【目的】その表示に数多くのバリエーションを有し、しかも意外性のある表示が可能な表示器を具備する遊技機を提供する。【構成】遊技盤内に設けられて液晶パネルと、液晶パネルの後方に配置された平面光源とからなる液晶表示器と、遊技状態に応じて液晶表示器を駆動する駆動回路と、を含む遊技機である。当該駆動回路は、当該液晶パネルの透過度を制御するとともに、平面光源の輝度及び色の少なくとも一方を遊技状態に応じて制御することを特徴とする。【選択図】図３
2008006168.tif 000002
【特許請求の範囲】
【請求項１】
遊技盤内に設けられて液晶パネルと前記液晶パネルの後方に配置された平面光源とからなる液晶表示器と、遊技状態に応じて前記液晶表示器を駆動する駆動回路と、を含む遊技機であって、
前記駆動回路は、前記液晶パネルの透過度とともに、前記平面光源の輝度及び色の少なくとも一方を前記遊技状態に応じて制御することを特徴とする遊技機。
【請求項２】
前記駆動回路は、前記遊技状態が入賞状態であることを表示すべく、前記平面光源の輝度及び色の少なくとも一方を制御することを特徴とする請求項１記載の遊技機。
【請求項３】
前記駆動回路は、前記遊技状態が入賞状態における抽選結果に応じて、前記平面光源の輝度及び色の少なくとも一方を制御することを特徴とする請求項１又は２記載の遊技機。
【請求項４】
前記駆動回路は、前記遊技状態に応じて、前記平面光源をオン／オフ制御することを特徴とする請求項１乃至３のうちの１に記載の遊技機。
【請求項５】
前記駆動回路は、前記遊技状態に応じて、前記平面光源の発光領域のうちの一部の輝度及び色の少なくとも一方を、他の一部のそれと異なるように制御を行うことを特徴とする請求項１乃至４のうちの１に記載の遊技機。
【請求項６】
前記平面光源は、複数の発光ダイオード素子からなり、前記駆動回路は、前記発光ダイオード素子の輝度を制御することを特徴とする請求項１乃至５のうちの１に記載の遊技機。
【請求項７】
前記発光ダイオード素子は、白色発光ダイオード素子及びこれとは異なる色の光を発する発光ダイオード素子を含むことを特徴とする請求項６記載の遊技機。
【請求項８】
前記遊技盤は透明部を有し、前記平面光源は前記透明部において前記遊技盤の後方に配置されており、前記遊技盤の前方には遊技領域を保護する複数のガラス板からなる複層ガラス窓を有し、前記液晶パネルは前記透明部の前方であって、前記複層ガラス窓の前記ガラス板の間に配置されていることを特徴とする請求項１乃至７のうちの１に記載の遊技機。
【請求項９】
前記発光ダイオード素子は、光出射面にレンズを有していることを特徴とする請求項８記載の遊技機。
【請求項１０】
前記複層ガラス窓の前記ガラス板の間であって、前記液晶パネルの後方に光拡散板が配置されていることを特徴とする請求項８又は９記載の遊技機。
【発明の詳細な説明】
【技術分野】
【０００１】
本発明は、遊技盤の遊技領域に遊技球を打ち出して遊技を行うパチンコ機の如き遊技機に関し、特に遊技領域の少なくとも一部に液晶表示器を設けた遊技機に関する。
【背景技術】
【０００２】
パチンコ機の如き遊技機の数多くが遊技領域の一部に表示器を有しており、これを介して遊技情報を遊技者に伝達している。遊技者は、表示器に表示された遊技情報に従って遊技を行うのである。ところで遊技機には中央処理装置（ＣＰＵ）が搭載されており、入賞処理をソフトウェアで自由に設計できることから、近年では入賞処理に関連した複雑な遊技内容を持つ遊技機も数多く設計・開発されている。このように複雑な遊技内容の遊技機では、例えば、通常遊技モードに対してのリーチモードや、大当たりを得たときの特別遊技モードなど数多くの「モード」（遊技状態、ステージ）が設定されているのである。表示器は、現在の遊技の「モード」を遊技者に素早く、わかりやすく、しかも遊技機としての面白味を与えつつ伝達しなければならない。
【０００３】
ここで、従来の遊技機の表示器では、一般家電製品等と同じ液晶パネルユニットからなる表示器を使用して、ソフトウェアによる画像制御でこれらの「モード」毎に対応した画像表示を行っていた。しかしながら、「モード」の数が増えるにつれて、ソフトウェアによる画像制御だけでは画像表示の「モード」毎の特徴が単調となってしまって、各「モード」の間の印象が希薄となっていた。結果として、「モード」数を多く設定したにもかかわらず、遊技機としての面白味に欠けてしまうのであった。そこでソフトウェアによる画像制御とともに、遊技機として独自の特徴を持った表示器を採用して「モード」数の増加に対応した遊技機が開発されている。
【０００４】
例えば、特許文献１は、２枚のガラス板からなる前面ガラス窓の前方に位置するガラス板の背面に液晶パネルを密着配置して、このガラス板の間に該液晶パネルに光を照射するためのバックライト光源を設けた遊技機を開示している。従来の中央役物装置内に組み込まれた表示器に比べて表示部の面積が非常に大であって、多くの遊技情報を表示できるのである。故に、「モード」数の増加に対応してバラエティーに富んだ画像表示が可能である。当該遊技機では液晶パネルの後方における遊技球の落下を遊技者が視認できるようにするために、複数の高輝度ＬＥＤからなる光源を液晶パネルの側方周縁部に配置しているのである。
【０００５】
特許文献１に開示のバックライトと同様に、高輝度ＬＥＤを複数並べた液晶パネル用バックライトは一般家電製品用として既に広く知られている。例えば、特許文献２では、ＬＥＤの輝度を液晶パネルの画素単位毎に制御できるようにして、高性能な画像表示を可能とした液晶パネルユニットが開示されている。ＬＥＤは液晶パネルの複数の分割領域に対して少なくとも１つずつ配置されていて、液晶パネルに表示されるべき画像表示情報を分析する手段によって、該ＬＥＤのそれぞれの輝度を画像表示情報に対応して制御して、より高性能な画像表示を提供するのである。
【特許文献１】特開２００４−３３７３９８号公報
【特許文献２】特開２００６−０３０５８８号公報
【発明の開示】
【発明が解決しようとする課題】
【０００６】
特許文献１に開示の遊技機の如く、液晶パネルの側方周縁部に配置したＬＥＤから液晶パネルを照射しても、液晶パネルの中央部は周縁部と比較してＬＥＤとの距離が大であるから、液晶パネルの全体を均一に照射することは困難である。特に、大型の液晶パネルではこの照射ムラが顕著であって、動画像を中心に視認性の高い画像表示を与えることを特徴とする遊技機の表示器としては好ましくない。そこで特許文献１に開示された如き遊技機用の大型液晶パネルに、特許文献２に開示された如き一般家電製品用の複数のＬＥＤからなる液晶パネル用バックライトを組み合わせることができれば、動画像を中心に視認性の高い画像表示を与えることが可能である。更に、液晶パネルが大であるだけでは、表示のバリエーションはソフトウェアによる画像制御に依存することとなって、従来の小型の表示器を含む遊技機とそれほど大差はない。そこで遊技機用の表示器としては、更に意外性のある表示のバリエーションを与えることができれば、なお好ましいのである。
【０００７】
そこで本発明の目的は、遊技領域の少なくとも一部に液晶表示器を設けた遊技機であって、その表示に数多くのバリエーションを有し、しかも意外性のある表示が可能な表示器を具備する遊技機を提供することである。
【課題を解決するための手段】
【０００８】
本発明による遊技機は、遊技盤内に設けられて液晶パネルと前記液晶パネルの後方に配置された平面光源とからなる液晶表示器と、遊技状態に応じて前記液晶表示器を駆動する駆動回路と、を含む遊技機であって、前記駆動回路は、前記液晶パネルの透過度とともに、前記平面光源の輝度及び色の少なくとも一方を前記遊技状態に応じて制御することを特徴とする。
【０００９】
本発明によれば、液晶パネルの透過度による画像演出に加えて、バックライトとしての平面光源による輝度又は色の変化を与えることで、単に２つの演出を組み合わせるにとどまらず、意外性を有した演出効果を得ることが出来るのである。まず、液晶パネルによる表示のバリエーションに輝度又は色のバリエーションを積算した数の組み合わせだけの演出が可能である。故に、表示に数多くのバリエーションを与えて、より多くの「モード」毎に対応した表示が可能である。ここで、液晶パネルの透過度の制御によって、表示画像の輝度又は光の色の変化を与えることも出来るが、平面光源による輝度又は色の変化を与えることによって液晶パネルに表示される表示画像には、一部に「モワレ」や、「オーロラ」が拡がるなど、液晶パネルの表示画像のソフトウェアによる設計では得られない意外な表示画像が得られるのである。
【発明を実施するための形態】
【００１０】
本発明による遊技機は、パチンコ機の如き、遊技盤の遊技領域に遊技球を打ち出して遊技を行う遊技機である。遊技盤の遊技領域には、液晶パネルとこの後方に配置された平面光源（バックライト）とからなる液晶表示器が設置されている。これにより動画像を中心に視認性の高い画像表示を与えることが可能である。平面光源は複数の高輝度ＬＥＤの如きからなり、平面光源の全体若しくはその一部だけの輝度及び／若しくは色を変化させることが可能である。液晶表示器、つまり液晶パネル及び平面光源は、遊技状態に応じて駆動回路によって駆動される。駆動回路は、液晶パネルの透過度とともに、平面光源の輝度及び色の少なくとも一方を遊技状態に応じて制御するのである。
【００１１】
例えば、遊技状態が入賞状態であることを表示すべく、液晶パネルに所定の画像を表示するとともに、平面光源の輝度及び色の少なくとも一方を制御するのである。これは平面光源の全体又は一部のオン／オフ制御であってもよい。一般に入賞状態は一定の期間だけ連続して付与されるので、液晶パネルにおいて一定の画像のまま若しくは一定の画像パターンの繰り返しによってこれを表示するとすれば、遊技者にとっては退屈な印象となってしまう。そこで平面光源の輝度及び色の少なくとも一方を制御することで、液晶パネルの表示に対応した後述するような意外性のある画像を与えることができるので、遊技中の遊技者に退屈感を与えないのである。
【００１２】
更に、遊技状態が入賞状態における抽選結果に応じて、平面光源の輝度及び色の少なくとも一方を制御するのである。これも平面光源の全体又は一部のオン／オフ制御であってもよい。入賞状態であることを表示する場合と異なり、抽選結果は瞬時に遊技者に伝達されるべきである。そこで入賞状態から平面光源の輝度及び色の少なくとも一方を制御して瞬時に抽選結果を表示して遊技者にこれを伝達するのである。この場合にあっても液晶パネルの表示に対応した後述するような意外性のある画像を与えて遊技をより魅力あるものとするのである。
【００１３】
ここで上記した「意外性のある画像」について、例えば、ＬＥＤをバックライトに用いた従来の液晶パネルユニットにおいても、液晶パネルの透過度を変化させるだけで表示される画像の全体又は一部の輝度及び／又は色の変化を与えることは可能である。しかしながら、例えば、平面光源の全体若しくはその一部だけの輝度及び／若しくは色を変化させるように制御することで、表示画像上には「オーロラ」や「モワレ」などが液晶パネルの表示に対応して生じ得るのである。すなわち、液晶パネルの表示画像の一部に光透過度のグラデーションがあると、このグレデーション方向と角度を有した方向に平面光源の光強度のグレデーションを与えることで「モワレ」が生じるのである。また、液晶パネルの三原色の配分と光源からの光の対応関係で予期せぬ「オーロラ」のような光のにじみの画像が得られるのである。なお、一般的な家電製品に使用される液晶パネルでは、このような制御は液晶パネルによる表示の視認性を却って低減させてしまうために好ましくないとされている。一方で、装飾的要素を重要視する遊技機用の表示器としては好ましいのである。
【００１４】
更に上記した本発明による遊技機の実施例について図１乃至図１２を参照しつつ、詳細に説明する。
【００１５】
特に図１乃至図３に示すように、遊技機１はパチンコ機の如き、遊技者のハンドル２の操作によって遊技球を遊技盤３の遊技領域３ａへ向けて打ち出して遊技を行う遊技機である。遊技盤３は、遊技盤枠３’（図３参照）とともに一体成形されたユニット体であって、本体部６に固定されている。遊技盤３の上には遊技領域３ａを画定するガイド３ｂなどが立設されている。遊技領域３ａは、従来の遊技機と同様にほぼ円形状であって、遊技状態では前面ガラス扉４によってその前面部を覆われている。遊技領域３ａの上方約半分においてその前面部は、液晶パネル５によっても覆われている。
【００１６】
ここで図５を参照すると、液晶パネル５は、前面ガラス扉４の複層ガラス体４ｂの間に組み込まれている。液晶パネル５に表示される画像は、ＣＰＵ５０からの信号を受けた液晶駆動回路５１によって制御される。更に、遊技盤３の液晶パネル５の後方には、透明部２２が設けられていて、その後方にはバックライトユニット２１が設置されている。バックライトユニット２１は後述するように複数の光源を含み、これらはＣＰＵ５０からの信号を受けたバックライト駆動回路５２によって制御される。液晶パネル５、バックライトユニット２１、液晶駆動回路５１、バックライト駆動回路５２を合わせて表示器７が構成されている。バックライトユニット２１は遊技盤３の後方にあるから、液晶パネル５を介して遊技盤３の遊技領域３ａを遊技者が視認可能である。透明部２２を含む遊技領域３ａの上には、従来の遊技機と同様に、釘や風車などの遊技球の落下流路を変更するための障害物や、内部抽選の機会を付与するための入賞口、中央役物装置などが設置される（図示せず）。つまり、これらの役物及びこれらを通過する遊技球を遊技者は液晶パネル５を介して視認可能なのである。
【００１７】
従来の遊技機では、液晶パネル３の遊技領域３ａに占める面積比率が大となると、遊技球の落下できる領域が狭められたり、遊技球の落下を視認できなくなったりしていた。本実施例では、液晶パネル３の遊技領域３ａに占める面積比率が大であってもこのような問題を生じないのである。更に、本実施例によれば、バックライトユニット２１を液晶パネル５の後方に配置したので、液晶パネル５をより均一且つ高輝度に照射することが出来て、動画像を中心に視認性の高い画像表示を与えることが可能である。なお、液晶パネル５には、遊技時にあっては各種の遊技情報、それ以外の時には広告・宣伝などが表示される。特に非遊技時には何らの役割も与えられていなかった遊技領域３ａを本実施例によれば広告・宣伝のためのスペースとして活用出来て効率的である。
【００１８】
前面ガラス扉４は、中央部に略矩形の中央窓４ａ１を有する略矩形の枠体４ａを含む。枠体４ａは、上下２箇所のヒンジ１１によって遊技機１の本体部６の側方において回動自在に軸支されている。更に、複層ガラス体４ｂは、ヒンジ１１に間にある上下２箇所のヒンジ１２によって枠体４ａの側方に回動自在に軸支されている。通常、複層ガラス体４ｂは枠体４ａの後方からこれに当接して中央窓４ａ１を閉塞している。この枠体４ａに複層ガラス体４ｂが当接して閉じた状態で一体の前面ガラス扉４として本体部６に対して回動自在なのである。更に、前面ガラス扉４が本体部６と当接して閉じた状態で、遊技領域３ａは遊技盤３と複層ガラス体４ｂとの間の閉空間として形成される。かかる閉空間を遊技球が落下するのである。
【００１９】
特に、図２及び図５に示すように、複層ガラス体４ｂは、ガラス板４ｂ１を間隔をあけて２枚以上積層した積層体である。ガラス板４ｂ１はその周縁部を固定枠体１３に嵌め込まれて固定されて複層ガラスアセンブリを構成している。前方に位置するガラス板４ｂ１の後方背面には、遊技領域３ａ以外を遊技者に視認できないようにするための遮光フィルム１４が与えられている。
【００２０】
特に、図２、図４及び図５に示すように、複層ガラス体４ｂの２枚のガラス板４ｂ１の間には液晶パネル５が配置されており、液晶パネル５の上方端部は複層ガラス体４ｂの外部に位置している。複層ガラス体４ｂの中での液晶パネル５の位置は、液晶パネル５に表示される図柄等がこれよりも前方に位置するガラス板４ｂ１を介して遊技者に良好に視認できるように決定される。例えば、液晶パネル５は、表示面を前方に向けて、複層ガラス体４ｂを構成するガラス板４ｂ１のうちの最前方に位置するガラス板４ｂ１の背面に密着するように配置される。液晶パネル５に表示される画像、すなわち液晶パネル５の透過度は、ＣＰＵ５０からの信号を受けた液晶駆動回路５１によって制御される。
【００２１】
なお、複層ガラス体４ｂは、遊技機の外部から磁石を使って遊技球の落下経路を変化させるような不正を防止すべく、ガラス板４ｂ１を間隔をあけて積層している。本実施例では、２枚のガラス板４ｂ１の間に液晶パネル５を介在させているので、複層ガラス体４ｂを磁力がより透過しづらくなる。故に、遊技機の外部から磁石を使うような不正をより確実に防止できるのである。
【００２２】
特に図２及び図４に示すように、複層ガラス体４ｂの上部から更に上方へ向けて伸長する液晶パネル５の上方端部には、これに沿って液晶パネル５の各画素を点滅させるための入力端子が並んでいる（図示せず）。これら入力端子に電流を与えるための液晶駆動回路５１を含む略矩形の板状の液晶駆動回路基板５１ａは、この液晶パネル５の上方端部に沿って固定されている。
【００２３】
特に図１乃至図４に示すように、前面ガラス扉４を正面から見て、枠体４ａの上部には装飾体１５が前方へ向けて突出するようにして形成されている。装飾体１５の一部は、透明なアクリルレンズの如きからなるレンズ体で形成されている。装飾体１５の内部は中空であってこの中空の収容部１５ａには、その内壁に沿って発光ダイオードや電球などの光源が収容されている（図示せず）。光源からの光は、装飾体１５のレンズ体を通って外部に導かれるのである。
【００２４】
ここで、複層ガラス体４ｂがヒンジ１２を軸に回動して前面ガラス扉４に後方から当接して閉じた状態で、液晶駆動回路基板５１ａは、枠体４ａの装飾体１５の収容部１５ａにその内部の光源と干渉することなく収容される。すなわち、液晶駆動回路基板５１ａは、複層ガラス体４ｂの開動によって装飾体１５の収容部１５ａ内を出入り自在なのである。
【００２５】
特に図３、図５及び図６を参照すると、バックライトユニット２１は、隔壁によって隔てられた複数のセグメント２３ａを含む筐体２３と、各セグメント２３ａ内に配置された光源２４とからなる。なお、隔壁は各光源２４からの光の干渉を防止して、液晶パネル５に照射される光を独立して制御しやすくするのである。後述するように、各光源２４にレンズ２５を設けて光の直進性を高めたときや、各光源２４同士の光の干渉を問題にしないなど、目的によっては隔壁は必ずしも必要ではない。光源は好ましくは白色の高輝度ＬＥＤである。光源２４は、ＣＰＵ５０からの信号を受けたバックライト制御部５２によってそれぞれの輝度が制御できる。
【００２６】
本実施例による液晶パネル５及びバックライトユニット２１は、その間に遊技球の落下経路を設けているため、一般的なバックライトを具備した液晶表示器よりも光源と液晶パネルとの距離が離れている。このためバックライトユニット２１からの光が液晶パネル５に良好に導かれるように、各光源２４は光出射部にレンズ２５を具備することが好ましい。また、通常の液晶パネルユニットの如く、液晶パネル５の面内に均一に光を拡散させる目的において且つ各光源２４からの光強度分布をスムージングするために光拡散板２６が液晶パネル５と光源２４及びレンズ２５との間に設けられている。好ましくは、光拡散板２６は、複層ガラス体４ｂの後方に位置するガラス板４ｂ１の前方を向いた面上に与えられる。
【００２７】
なお、図６は、４×５の２０個のセグメント２３ａを含むバックライトユニット２１を図示しているが、セグメント２３ａ及び光源２４の数、配置、形状等は適宜、調整される。
【００２８】
図７は、図６の第１列（Ｌ１）から第４列（Ｌ４）のそれぞれの列にある５つの光源２４の輝度を均一且つ第１列（Ｌ１）から第４列（Ｌ４）へ向けて輝度を徐々に高めたときの液晶パネル５に照射される光強度の分布を模式的に示したものである。光拡散板２６によって、第１列（Ｌ１）から第４列（Ｌ４）へ向けてなめらかな光強度分布のグラデーションが得られるのである。かかる光強度分布が液晶パネル５における画像表示と組み合わせられたとき、光源２４からの光強度分布の勾配方向（第１列（Ｌ１）から第４列（Ｌ４）方向、すなわち図の上下方向）に対して角度を有した方向に液晶パネル５の光透過度の勾配方向が偶然生じた部分に「モアレ」を生じ得るのである。液晶パネル５の遊技情報としての動画像の一部に「モワレ」が現れることは、遊技者にとって意外性のある画像表示となるのである。この「モワレ」の形態は、液晶パネル５の光透過度の勾配及びバックパネルユニット２１によって与えられる光強度勾配及びこれらの間の勾配の角度等によって非常に大きく変化するのである。
【００２９】
更に、図８は、図６の第１列（Ｌ１）から第４列（Ｌ４）へ輝度を徐々に低下せしめたとき、すなわち図７を得るための光源２４の制御と上下方向に光源強度を反転させた場合の液晶パネル５に照射される光強度の分布を模式的に示したものである。図７とは逆の光強度分布のグラデーションが得られるのである。図７に示した光強度分布と交互に若しくは徐々に変化するようにバックライト駆動回路５２はバックライトユニット２１を制御して演出を行うのである。詳細は後述する。
【００３０】
以上のバックライトユニット２１を具備する遊技機１の動作について図９のフローチャートに従って説明する。
【００３１】
遊技状態において、入賞口に遊技球が入球すると入賞状態となる（Ｓ０１，Ｓ０２）。入賞状態では、ＣＰＵ５０は、入賞処理（Ｓ０２）として液晶駆動回路５１に信号を送出して液晶パネル５に所定の画像を表示させるのである。これとともに、ＣＰＵ５０は、バックライト駆動回路５１に信号を送出して、例えば、図７及び図８のような光強度の分布を所定時間毎に切り替えて、若しくは、連続的に変化するようにバックライトユニット２１の光源２４の輝度を変化させるのである。このとき、入賞状態を示す液晶パネル５の動画像の一部に「モワレ」が現れ得るが、液晶パネル５に表示される表示画像の制御とバックライトユニット２１の制御とは一定の同期を得てはいないので、遊技毎に常に異なった画像が表示されるのである。つまり、表示に数多くのバリエーションを有し、しかも意外性のある表示が可能なのである。
【００３２】
入賞状態において、ＣＰＵ５０では内部抽選を行って「大当たり」若しくは「はずれ」を決定する。
【００３３】
内部抽選によって、「大当たり」が得られた場合（Ｓ０３，Ｓ０４）には、所定時間経過後、ＣＰＵ５０は、「大当たり」表示として液晶駆動回路５１に信号を送出して液晶パネル５に所定の画像を表示させるのである。これとともに、ＣＰＵ５０は、バックライト駆動回路５２に信号を送出して、例えば、図７及び図８のような光強度の分布を上記した入賞状態のときよりも短い時間毎に切り替えて、若しくは、短い時間サイクルで連続的に変化するようにして、バックライトユニット２１の光源２４の輝度を変化させるのである。「大当たり」の液晶パネル５に表示される画像は入賞状態を示すときの画像とは異なるから、「モワレ」などの出現状態も異なり得るのである。
【００３４】
一方、「はずれ」の場合（Ｓ０３，Ｓ０５）には、所定時間経過後、ＣＰＵ５０は、「はずれ」表示として液晶駆動回路５１に信号を送出して液晶パネル５に所定の画像を表示させるのである。これとともに、ＣＰＵ５０は、バックライト駆動回路５２に信号を送出して、例えば、バックライトユニット２１の光源２４の全て若しくは一部をオン・オフ制御して液晶表示器５の画像演出に重畳するのである。
【００３５】
他の実施例として、図１０に示すように、各セグメント２３ａを覆うようにして、個別にレンズ２４’を取り付けることも出来る。このときセグメント２３ａの形が反映された図１１の如き、光強度分布が得られるのである。なお、通常の液晶パネルユニットの如く、液晶パネル５の面内に均一な光を照射する場合も考慮すると、光拡散板２６の拡散能が上記した実施例の場合よりも高いことが好ましい。
【００３６】
更に他の実施例として、図１２に示すように、各セグメント２３ａに複数の色の異なる光源２４−１及び２４−２、例えば、白色のＬＥＤ２４−１及び赤色のＬＥＤ２４−２を配置して、バックライト制御部５２によって各光源２４−１及び２４−２の輝度を制御してもよい。本実施例では、ＣＰＵ５０によりバックライト駆動回路５２を通じて、光源２４−１又は２４−２の輝度を調整して各セグメント２３ａから出射される光の色を制御するのである。液晶パネル５における画像表示に対応して、「モワレ」だけでなく、「オーロラ」のような色のにじみを生じた画像が得られるのである。
【００３７】
上記した実施例によれば、従来の遊技機と比較して、その表示に数多くのバリエーションを有し、しかも意外性のある表示が可能なのである。
【００３８】
なお、本発明は、上記した実施例の如く、液晶パネル５とバックライトユニット２１の間に遊技球の落下流路を設けた表示器７に限定されず、通常の遊技機用の表示器においても実施できるのである。
【図面の簡単な説明】
【００３９】
【図１】本発明による遊技機の正面図である。
【図２】本発明による遊技機の斜視図である。
【図３】本発明による遊技機の要部の分解斜視図である。
【図４】本発明による遊技機の要部の斜視図である。
【図５】本発明による遊技機の要部の断面図である。
【図６】本発明による遊技機の要部の正面図である。
【図７】図６の光源によって得られる光の強度分布の例を示す図である。
【図８】図６の光源によって得られる光の強度分布の例を示す図である。
【図９】本発明による遊技機の遊技のフローチャートである。
【図１０】本発明による遊技機の要部の正面図である。
【図１１】図１０の光源によって得られる光の強度分布の例を示す図である。
【図１２】本発明による遊技機の要部の正面図である。
【符号の説明】
【００４０】
１              遊技機
２              ハンドル
３              遊技盤
３ａ            遊技領域
４              前面ガラス扉
４ａ            枠体
４ｂ            複層ガラス体
４ｂ１          ガラス板
５              液晶パネル
６              本体部
７              表示器
１１、１２      ヒンジ
１３            固定枠体
１４            遮光フィルム
１５            装飾体
１５ａ          収容部
２１            バックライトユニット
２２            透明部
２４            光源
２５            レンズ
２６            光拡散板
５０            ＣＰＵ
５１            液晶駆動回路
５１ａ          液晶駆動回路基板
５２            バックライト駆動回路
【図１】
2008006168.tif 000003
【図２】
2008006168.tif 000004
【図３】
2008006168.tif 000005
【図４】
2008006168.tif 000006
【図５】
2008006168.tif 000007
【図６】
2008006168.tif 000008
【図７】
2008006168.tif 000009
【図８】
2008006168.tif 000010
【図９】
2008006168.tif 000011
【図１０】
2008006168.tif 000012
【図１２】
2008006168.tif 000013
【図１１】
2008006168.tif 000014